【手続補正書】
【提出日】平成23年10月24日(2011.10.24)
【手続補正１】
【補正対象書類名】特許請求の範囲
【補正対象項目名】全文
【補正方法】変更
【補正の内容】
【特許請求の範囲】
【請求項１】
ピペットシステムであって、
使い捨て可能なピペットチップを有し、
該ピペットチップは、下方に開口部を有するバレルを備え、該開口部を介して、液が前記バレルに吸引されるとともに前記バレルから分注され、前記バレルは、前記バレルの上方端部において、密閉範囲を有し、
前記ピペットチップはさらに、
ピペット取り付けシャフトを受容する、上方に開口部を有するつば部を備え、前記つば部の下方端部は、前記バレルの上方端部の内径よりも大きな内径を有し、
前記ピペットチップはさらに、
円周シェルフを備え、該シェルフは前記つば部の下端部を前記バレルの上方端部に接続させ、
前記ピペットシステムはさらに、
ピペット取り付けシャフトを有し、
該ピペット取り付けシャフトは、環状溝を含む下方部を備え、該環状溝は、前記環状溝に位置する、密閉リングを有し、
前記ピペット取り付けシャフトはさらに、
上方固定部を備え、前記固定部は前記取り付けシャフトのストッパを有し、前記ストッパは、前記取り付けシャフトが完全に前記ピペットチップの前記つば部に挿入される際に、前記ピペットチップの前記円周シェルフと係合し、
前記ピペット取り付けシャフトはさらに、
前記取り付けシャフト上の前記ストッパの上に位置し、前記取り付けシャフトの前記上方固定部の周りで円周状に間隔をあけた、２もしくはそれ以上の外側に延伸するローブを備え、該ローブは、前記つば部の表面内部と係合し、
前記ピペット取り付けシャフトはさらに、
前記ローブの間で、前記ローブに対して窪み、前記取り付けシャフトの前記上方固定部で円周状の解放部を備え、これにより、前記ピペットチップが完全に前記取り付けシャフトに取り付けられる際、前記つば部は、前記ローブにおいて外側に変形し、前記解放部において内側に変形し、
前記密閉リングは、前記取り付けシャフトが前記ピペットチップに完全に挿入される際、前記バレルの上方端部において、前記ピペットチップのバレルの内側表面に係合することを特徴とする、ピペットシステム。
【請求項２】
前記ピペットチップのバレルの内側表面は、前記円周シェルフの下方に円周安定リングを有し、
前記取り付けシャフト上の下方部の前記密閉リングは、前記取り付けシャフト上の前記固定部の下方に位置するとともに、前記密閉リングは、前記密閉シャフトが完全に前記ピペットチップに挿入される際、前記円周安定リング上の位置で、前記ピペットチップのバレルの内側表面と係合することを特徴とする、請求項１記載のピペットシステム。
【請求項３】
前記密閉リングは、エラストマの材質からなるＯリングであることを特徴とする、請求項１記載のピペットシステム。
【請求項４】
前記密閉リングはＯリングであり、前記Ｏリングが存する前記溝の上方端部は、前記取り付けシャフトが完全に前記ピペットチップに挿入される際、前記ピペットチップ上の前記円周シェルフの約０．３８１ｍｍのみ下方に存することを特徴とする請求項１記載のピペットシステム。
【請求項５】
前記Ｏリングの中央線は、前記取りつけシャフトが完全にピペットチップに挿入される際、前記ピペットチップの前記バレル表面内側に沿って、前記円周シェルフの約０．７６２ｍｍのみ下方に存することを特徴とする、請求項５記載のピペットシステム。
【請求項６】
前記密閉リングの前記溝の下方の前記取り付けシャフト上の下方部の前記直径は、より小さくなることで、前記取り付けシャフトと前記ピペットチップ上の前記安定リングの間の締まり嵌めを回避することを特徴とする、請求項２記載のピペットシステム。
【請求項７】
ピペットシステムであって、
使い捨て可能なピペットチップを備え、
該使い捨て可能なピペットチップは下方に開口部を有するバレルを備え、該開口部を介して、液体が前記バレルに吸引されるとともに前記バレルから分注され、
前記ピペットチップはさらに、
前記バレルの内側表面に沿って、円周密閉リングを備え、
前記ピペットチップはさらに、
ピペット取り付けシャフトの下方端部を受容する、上方に開口部を有するつば部を備え、前記つば部の下方端部は、前記バレルの上方端部の内径よりも大きな内径を有し、
前記ピペットチップはさらに、
円周シェルフを備え、該シェルフは前記つば部の下方端部を前記バレルの上方端部に接続させ、
前記ピペットシステムはさらに、
ピペット取り付けシャフトを有し、
該ピペット取り付けシャフトは、上部固定部を備え、前記固定部は前記取り付けシャフトのストッパを有し、前記ストッパは、前記取り付けシャフトが完全に前記チップの前記つば部に挿入される際、前記ピペットチップの前記円周シェルフと係合し、
前記ピペット取り付けシャフトはさらに、
前記取り付けシャフト上の前記ストッパの上に位置し、前記取り付けシャフトの前記上方固定部の周りで円周状に間隔をあけた、２もしくはそれ以上の外側に延伸するローブを備え、該ローブは、前記つば部の表面内部と係合し、
前記ピペット取り付けシャフトはさらに
前記ローブの間で、前記ローブに対して窪み、前記取り付けシャフトの前記上方固定部で円周状に窪んだ解放部を備え、これにより、前記ピペットチップが完全に前記取り付けシャフトに取り付けられる際、前記つば部は、前記ローブにおいて外側に変形し、前記解放部において内側に変形し、
前記ピペット取り付けシャフトはさらに、
前記固定部の下方に位置される裁頭円錐形を有する下方密閉部を備え、前記取り付けシャフト上の前記裁頭円錐形の密閉部は、前記取り付けシャフトが前記ピペットチップに挿入される際、前記ピペットチップ上の前記円周密閉リングに対して、締まり嵌めを提供し、前記裁頭円錐形の部分の高さは、前記ピペットチップの前記シェルフに対して前記取り付けシャフト上の前記ストッパの完全な係合の前に、選択された垂直の移動幅に対応することを特徴とする、ピペットシステム。
【請求項８】
前記ピペットチップ上の前記円周密閉リングの前記内径は、裁頭円錐形の密閉部の下方における前記取り付けシャフトの直径と同じ、もしくは裁頭円錐形の密閉部の下方における前記取り付けシャフトの直径よりもわずかに大きいことを特徴とする、請求項７記載のピペットシステム。
【請求項９】
前記裁頭円錐形は、約４°から約７°の間の挟角を有することを特徴とする、請求項７記載のピペット。
【請求項１０】
前記システムはハンドヘルド型であり、空気移動ピペットシステムであることを特徴とする、請求項１又は７記載のピペットシステム。
【請求項１１】
各ローブは斜めの傾斜部を有し、前記取り付けシャフトが前記ピペットチップに挿入されると、該傾斜部は、前記ピペットチップつば部の変形を促進することを特徴とする、請求項１又は７記載のピペットシステム。
【請求項１２】
前記取り付けシャフトは少なくとも３つのローブを有し、該ローブは、前記つば部の表面内側に係合することを特徴とする、請求項１又は７記載のピペットシステム。
【請求項１３】
使い捨て可能なピペットチップが、前記つば部の前記内側表面から内側に延伸する実質的に円周状の固定要素をさらに備え、前記取り付けシャフトが完全に前記ピペットチップのつば部に挿入される際に、前記ピペットチップ上で前記固定要素が前記取り付けシャフト上のローブと係合し、前記固定リングが前記取り付けシャフト上のローブ上を通過して固定係合する中央上部固定係合をもたらすことを特徴とする、請求項１又は７記載のピペットシステム。